(57)【要約】【課題】不正行為により解放された痕跡を残りやすくして強引なこじ開けに対する耐力の高い不正開放防止機構を提供する。【解決手段】  不正開放防止機構は、ケース本体部材及びケース本体部材の前方に装着されるケース蓋部材を備え、ケース本体部材にケース蓋部材を装着してケース本体部材の前面を覆うように閉止したケース閉止状態で形成されるケース内部に、遊技機に搭載された電子部品を制御する制御基板を収容する基板ケースに関するものであって、基板ケースは、ケース本体部とケース蓋部材とに跨って取り付けられる封印部材と、封印部材を覆うカバー部材と、ケース本体部とケース蓋部材とカバー部材とを連結するロック部材とを備え、ロック部材は、ケース本体部材とケース蓋部材とカバー部材とを一体的に結合させて連結する。【選択図】図３
2010234025.tif 000002
【特許請求の範囲】
【請求項１】
ケース本体部材及び前記ケース本体部材に装着されるケース蓋部材を備え、前記ケース本体部材に前記ケース蓋部材を装着して前記ケース本体部材を覆うように閉止したケース閉止状態で形成される基板ケース内部に、遊技機に搭載された電子部品を制御する制御基板を収容する基板ケースの不正開放防止機構であって、
前記ケース本体部材と前記ケース蓋部材とに跨って取り付けられる封印部材と、
取り付けられた前記封印部材を覆って装着されたカバー部材と、
前記ケース本体部材と前記ケース蓋部材と前記カバー部材とを連結するロック部材とを備え、
前記ロック部材は、前記ケース本体部材と前記蓋部材と前記カバー部材とを一体的に結合させるように構成されたことを特徴とする基板ケースの不正開放防止機構。
【請求項２】
前記ケース本体部材は、前記ロック部材を収容するための開口部を有する本体側係合部を備え、
前記ケース蓋部材は、前記ロック部材を収容するための開口部を有する蓋側係合部を備え、
前記カバー部材は、前記ロック部材を収容するための開口部を有するカバー側係合部を備え、
前記ロック部材は、前記本体側係合部と前記蓋側係合部と前記カバー側係合部を貫通して収容される軸部と前記軸部よりも大きい外周を有する操作部とを備え、前記軸部は径方向外側に突出又は後退可能であって付勢手段により前記軸部の周辺方向に付勢されたロックピンを有し、
前記蓋側係合部の前記開口部は、前記ロックピンを前記開口部に収容するために挿通される際に前記ロックピンを案内する案内部を有し、
前記ロック部材が前記本体側係合部と前記蓋側係合部と前記カバー側係合部の前記開口部に収容するために挿通されるときには前記ロックピンは後退し、前記ロック部材が前記開口部に挿通され収容された後には前記ロックピンが突出して、前記ケース本体部材と前記蓋部材と前記カバー部材とを一体的に結合させるように構成されたことを特徴とする請求項１記載の基板ケースの不正開放防止機構。
【請求項３】
ケース本体部材及び前記ケース本体部材に装着されるケース蓋部材を備え、前記ケース本体部材に前記ケース蓋部材を装着して前記ケース本体部材を覆うように閉止したケース閉止状態で形成されるケース内部に、遊技機に搭載された電子部品を制御する制御基板を収容する基板ケースの不正開放防止機構であって、
前記ケース本体部材と前記ケース蓋部材とを連結するロック部材とを備え、
前記ケース本体部材は、前記ロック部材を収容するための開口部と、前記開口部に隣接して立設する立壁部とを有する本体側係合部を備え、
前記ケース蓋部材は、前記ロック部材を収容するための開口部と、前記開口部及び前記ロック部材の前記操作部を取り囲む係合壁部とを有する蓋側係合部を備え、
前記ロック部材は、前記本体側係合部と前記蓋側係合部を貫通して収容される軸部と前記軸部よりも大きい外周を有する操作部とを備え、前記軸部は径方向外側に突出又は後退可能であって付勢手段により前記軸部の周辺方向に付勢されたロックピンを有し、
前記蓋側係合部の前記開口部は、前記ロックピンを前記開口部に案内する案内部を有し、
前記ロック部材は、前記閉止状態のときに、前記ケース本体部材と前記ケース蓋部材とを一体的に結合させるように構成されることを特徴とする基板ケースの不正開放防止機構。
【請求項４】
前記ケース本体部材は、前記本体側係合部を複数備え、
前記ケース蓋側係合部は、前記ケース本体側係合部と対向する位置に前記蓋側係合部をそれぞれ備え、
前記ケース本体部材には、前記ロック部材の予備部材を収容する予備ロック部材収容部を有することを特徴とする請求項３の基板ケースの不正開放防止機構。
【発明の詳細な説明】
【技術分野】
【０００１】
本発明は、パチンコ機やスロットマシン等の遊技機において遊技機に搭載された電子部品を制御する制御基板を収容する基板ケースに関し、更に詳細には、制御基板を収容した基板ケースの不正な開放操作を防止する不正開放防止機構に関する。
【背景技術】
【０００２】
上記のような遊技機には、遊技機に搭載された電子部品の作動を制御する制御基板が複数設けられている。例えば、主制御基板ないし主基板と称される制御基板には、遊技機の制御ソフトウェアが書き込まれたＲＯＭ（Read Only Memory,読み出し専用記憶装置）等が搭載され、遊技機の作動を統括して制御する中枢制御装置としての役割を有している。また、払出制御基板は、球払出装置もしくはメダル払出装置の作動を制御する役割を有している。そのため、遊技機の制御基板は、偽造ＲＯＭへの差し替えや不正回路の付加・削除などの不正行為の対象になりやすい。
【０００３】
このような不正行為を防止して公正な遊技ができるようにするため、各種制御基板は、不正なアクセスができないようにする目的で、透明な樹脂材料を用いて形成されたケース本体部材と開閉又はスライド可能に装着されるケース蓋部材とからなる基板ケースに収容されてケースを閉じた閉止状態にロックされる不正開放防止機構が設けられていることが多い。そして、不正開放の手口の高度化に対応して、これを防止するために、閉止状態をより強力にしたり、ロック機構を容易に外されないように強力にし破壊しないと開放できないようにして、不正開放された場合にその事実を確認しやすくしかつ証拠として痕跡が残るようにして、物理的および心理的に不正開放をしづらくするような工夫がされている。
【０００４】
閉止状態をより強力にする工夫として、たとえば、ケースを閉じた状態で前後に対向するケース蓋部材及びケース本体部材の整合位置に、ロック部材を収容するロック部材収容部を複数設け、このロック部材収容部に収容されるロック部材の装着方向をロック位置とアンロック位置とに変更設定して基板ケースを閉止することにより、ロック位置にあるロック部材がケース本体部材とケース蓋部材とを連結して基板ケースを閉止状態にロックするように構成された不正開放防止機構が知られている（ケース連結構造、例えば特許文献１を参照）。
また、破壊しないと開放できないようにする工夫として、ロック部材がロック位置で嵌り止めされるようにして、ケース開放時には、ロック部材収容部のケース蓋部材側の接続部またはケース本体側の接続部をニッパ等の工具で切断せざるを得ない構成とする不正開放防止機構がある（破壊必要構造、例えば特許文献１を参照）。
【０００５】
一方、不正行為により開放された痕跡が残るようにするための別の工夫として、ケース本体部材とこのケース本体に対向するケース蓋部材の取り付け部とを跨いで封印シールを貼着する封印構造が知られている。ケースを開放すると、封印シールが破れるため、痕跡が残ることを利用している。この場合、封印シールの場合はいったん剥がされた後に新しい封印シールを貼着しておくと開放されたかどうかわかりづらいため、封印シールをカバーするカバー部材を備えて、貼着されている封印シールに対する不正なアクセスを防止する機構が提案されている（シールカバー構造、例えば特許文献２を参照）。
【先行技術文献】
【特許文献】
【０００６】
【特許文献１】特開２００４−２８３４４３号公報
【特許文献２】特開２００７−３１２９１７号公報
【発明の概要】
【発明が解決しようとする課題】
【０００７】
しかしながら、不正行為により開放された痕跡が残るようにしたこれらの不正開放防止機構においても、不正アクセスの手口がますます高度化するために、より確実に痕跡が残るような工夫、すなわち、より確実にカバー部材が開放されないようにするとともに、いったん開放された場合にその事実が明瞭に観察できる構造のものが必要とされている。
上記の封印構造のカバー部材は、ケース本体部材に対して固定されていないため、カバー部材が取り外され封印シールがはがされた場合に、新しい封印シールが貼着されカバー部材をもとのように戻されると、その痕跡が明瞭とはいえない場合もあった。
また、ロック部材に対してもアクセスしにくくし、ロック部材に対して何らかの高度な不正アクセスがあった場合に、ロック部材をガードしてアクセスができないようにし仮りにアクセスがされた場合であってもそれらを破壊しないとアクセスができないようにしておく構造のものが必要とされている。このような構造であれば、不正アクセスがあったときに、その痕跡は明瞭に残るので、不正アクセスそのものを抑止する物理的な効果および心理的な効果がある。
【０００８】
本発明は、このような従来の問題に鑑みてなされたものであり、制御基板を収容する基板ケース本体とそのカバー部材の不正アクセスを防止するとともに、その痕跡が容易にわかるようにして、従来にまして、制御基板に対する不正アクセスに対するセキュリティを向上させることを目的としている。
【課題を解決するための手段】
【０００９】
上記目的達成のため、本発明は、ケース本体部材及び前記ケース本体部材に装着されるケース蓋部材を備え、前記ケース本体部材に前記ケース蓋部材を装着して前記ケース本体部材を覆うように閉止したケース閉止状態で形成される基板ケース内部に、遊技機に搭載された電子部品を制御する制御基板を収容する基板ケースの不正開放防止機構であって、ケース本体部材とケース蓋部材とに跨って取り付けられる封印部材と、取り付けられた封印部材を覆って装着されたカバー部材と、ケース本体部材とケース蓋部材とカバー部材とを連結するロック部材とを備え、ロック部材は、ケース本体部材とケース蓋部材とカバー部材とを一体的に結合させるように構成される。
【００１０】
この際、ケース本体部材は、ロック部材を収容するための開口部を有する本体側係合部を備え、ケース蓋部材は、ロック部材を収容するための開口部を有する蓋側係合部を備え、カバー部材は、ロック部材を収容するための開口部を有するカバー側係合部を備え、ロック部材は、本体側係合部と蓋側係合部とカバー部側係合部を貫通して収容される軸部と軸部よりも大きい外周を有する操作部とを備え、この軸部は径方向外側に突出又は後退可能であって付勢手段により前記軸部の周辺方向に付勢されたロックピンを有し、蓋側係合部の開口部は、ロックピンを開口部に収容するために挿通される際にロックピンを案内する案内部を有し、ロック部材が本体側係合部と蓋側係合部とカバー側係合部の開口部に収容するために挿通されるときにはロックピンは後退し、ロック部材が前記開口部に挿通され収容された後にはロックピンが突出して、ケース本体部材とケース蓋部材とカバー部材とを一体的に結合させるように構成されることが望ましい。
【００１１】
また、本発明は、ケース本体部材及びケース本体部材に装着されるケース蓋部材を備え、ケース本体部材にケース蓋部材を装着してケース本体部材を覆うように閉止したケース閉止状態で形成される基板ケース内部に、遊技機に搭載された電子部品を制御する制御基板を収容する基板ケースの不正開放防止機構であって、ケース本体部材とケース蓋部材とを連結するロック部材とを備え、ケース本体部材は、ロック部材を収容するための開口部と開口部に隣接して立設する立壁部とを有する本体側係合部を備え、ケース蓋部材は、ロック部材を収容するための開口部とロック部材の操作部を取り囲む係合壁部とを有する蓋側係合部を備え、ロック部材は、本体側係合部と蓋側係合部とカバー側係合部を貫通して収容される軸部と軸部よりも大きい外周を有する操作部とを備え、この軸部は径方向外側に突出又は後退可能であって付勢手段により前記軸部の周辺方向に付勢されたロックピンを有し、蓋側係合部の開口部は、ロックピンを開口部に案内する案内部を有し、ロック部材は、閉止状態のときに、ケース本体部材とケース蓋部材とを一体的に結合させて連結させるように構成される。
【００１２】
この際、ケース本体部材は、本体側係合部を複数備え、ケース蓋部材は、ケース本体側係合部と対抗する位置に前記蓋側係合部をそれぞれ備え、ケース本体部材には、ロック部材の予備部材を収容する予備ロック部材収容部を有することが好ましい。
【発明の効果】
【００１３】
本発明においては、ロック部材は、ケース本体部材とケース蓋部材とカバー部材とを一体的に結合させるように構成されているので、基板ケースを開放するためには、このロック部材の連結を解くのに、ロック部材を破壊する必要があるので、従来のようにカバー部材だけを外すということができず、ひとつのロック部材を点検するだけで、不正開放の事実の有無を簡単に知ることができる。これにより不正行為により開放された痕跡を残りやすくして強引なこじ開けに対する耐力の高い不正開放防止機構を提供することができる。
【００１４】
また、ロック部材は、本体側係合部と蓋側係合部とカバー側係合部の開口部に収容するために挿通されるときにはロックピンは後退し、ロック部材が開口部に挿通され収容された後にはロックピンが突出して、本体側係合部と蓋側係合部とカバー側係合部とを一体的に結合させるように構成されているので、強固な連結をすることができる。これにより不正行為により開放された痕跡を残りやすくして強引なこじ開けに対する耐力の高い不正開放防止機構を提供することができる。
【００１５】
本発明においては、ケース本体部材は、ロック部材を収容するための開口部と開口部に隣接して立設する立壁部とを有する本体側係合部を備え、かつ、ケース蓋部材は、ロック部材を収容するための開口部と開口部およびロック部材の操作部を取り囲む係合壁部を有する蓋側係合部を備えており、さらに、ロック部材は、閉止状態のときに、ケース本体部材とケース蓋部材とを一体的に結合させるように構成されているので、ロック部材に対する不正アクセスがあった場合でも、ロック部材のロックを解除するための操作をすることができず、操作するためにはロック部材を破壊することになるため、破壊の痕跡から、不正アクセスがあったことが一目瞭然で知ることができる。これにより不正行為により解放された痕跡を残りやすくして強引なこじ開けに対する耐力の高い不正開放防止機構を提供することができる。
【００１６】
また、ケース本体部材は、ロック部材の予備部材を収容する予備ロック部材収容部を有するように構成されているため、不正アクセス以外で、アクセスする必要があった場合に、複数回にわたり基板ケースを使いまわすことができるため、基板ケースを交換する手間が省けるとともに、経済的でもあり、また、実用的に使用できる期間が長くなるため、資源を節約でき環境上も好ましい不正行為により開放された痕跡を残りやすくして強引なこじ開けに対する耐力の高い不正開放防止機構を提供することができる。
【図面の簡単な説明】
【００１７】
【図１】本発明の一実施例の不正開放防止機構の構造を表した分解斜視図である
【図２】図１に示した不正開放防止機構を組みつけて右上から見た外観斜視図である。
【図３】図２におけるiii矢視方向に見た基板ケースユニットの断面図で、図２に加えて、さらにロック部材によりロックされた状態を加えた断面図である
【図４】図２に示した組みつけた不正開放防止機構からカバー部材を外して右下から見た外観斜視図である。
【図５】図１のカバー部材を右下から見た外観斜視図である。
【図６】図６Ａは、ロック部材の右上から見た外観斜視図であり、図６Ｂは、ロック部材の左下から見た外観斜視図である。
【図７】図６Ａのロックピンの中心軸を通るvii矢視方向のロック部材の断面図である。
【図８】本発明の他の実施例の不正開放防止機構の構造を表した分解斜視図である。
【図９】ケース蓋部材の係合部を前面側から見た斜視図である。
【図１０】ケース本体部材の係合部を前面側から見た斜視図である。
【図１１】図７に示した不正開放防止機構を組みつけた外観斜視図であって、ケース蓋部材とケース本体部材の係合部を拡大して示したものである。
【図１２】本発明に係る不正開放防止機構が適用される遊技機の一例として示すパチンコ機の正面図である。
【図１３】不正開放防止機構が設けられる上記パチンコ機の背面図である。
【発明を実施するための形態】
【００１８】
以下、本発明の好ましい実施形態について図面を参照して説明する。
図１２及び図１３に、本発明が適用される基板ケースを備えた遊技機の代表例としてパチンコ機ＰＭの正面図及び背面図を示しており、まず、このパチンコ機ＰＭの全体構成について概要を説明する。
【００１９】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側に配設されたヒンジ機構３ａ，３ｂに支持されて前方に横開き開閉及び着脱が可能に取り付けられ、正面右側に設けられたダブル錠と称される施錠装置４を利用して外枠１と係合された閉鎖状態に保持される。
前枠２の前面側上部には、前枠２の前面域に合わせた方形状で中央部に複層ガラスが装着されたガラス扉５が正面左側に設けられたヒンジ機構７ａ，７ｂにより前方に横開き開閉および着脱が可能に支持され、前記施錠装置４により前枠２の上部前面を覆う閉鎖状態に保持される。ガラス扉５の背後には遊技盤１０を立設姿勢で収容する収容枠が前枠２と一体に成型されており、この収容枠に遊技盤１０が着脱可能に収容保持され、常には閉鎖保持されるガラス扉５を透視して前面の遊技領域を視認可能に臨ませている。
【００２０】
図１２では遊技盤１０の記載を省略するが、遊技盤１０の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられている。遊技領域の下端部には、入賞具に落入することなく落下した遊技球を遊技盤１０の裏面側に排出するためのアウト口が遊技盤を前後に貫通して設けられている。
【００２１】
前枠２の下部領域には、球皿ユニット６が正面左側に設けられたヒンジ機構７ｂ，７ｃにより前方に横開き開閉および着脱が可能に支持されるとともに、正面右側に設けられた球皿施錠装置を利用して前枠２の下部前面を覆う閉鎖状態に保持される。球皿ユニット６に覆われた前枠２の下部領域には遊技補助盤と称される補助機構部が設けられており、この遊技補助盤に、遊技球を発射する遊技球発射装置や、遊技領域に到達することなく戻ってきたファール球を回収するファール球回収通路などが設けられている。前枠２の前面下部には、遊技球の発射操作を行う発射ハンドル８が取り付けられている。
【００２２】
前枠２の裏側に、裏セット盤２０が着脱可能に取り付けられている。裏セット盤２０は、遊技盤１０の裏面側に突出する画像表示装置や画像制御基板等を挿通させる大型の窓口２１ｗを有して外枠１の内寸よりも幾分小型の矩形枠状に形成された基枠体２１をベースとして構成される。基枠体２１の各部には、球貯留タンクに貯留された多数の遊技球を流下過程で前後各一列に整列させる整流機構５０、整流機構５０により整列された遊技球を上下につながった整列状態で待機させる整列待機通路２２、所定の入賞条件成立に基づいて整列待機通路２２に待機された遊技球を払い出す球払出装置２３、及び球払出装置２３から払い出された遊技球を球皿ユニット６の球皿に導く払出通路などからなる賞球機構が設けられる。
【００２３】
図１３に示すように、基枠体２１の裏面側の各部には、パチンコ機各部に電力を供給する電源基板３１や球払出装置２３の作動を制御する払出制御基板３２、パチンコ機の作動を統括的に制御する主制御基板３３、画像表示装置の作動を制御する画像制御基板３５、遊技施設のホールコンピュータとの間で球払い出し情報やアラーム情報などの入出力を行うターミナル基板３７など、パチンコ機ＰＭに搭載された電子部品を制御する各種制御基板が取り付けられ、これらの各種制御基板とパチンコ機各部の電気・電子部品がワイヤーハーネスで接続されて遊技可能に構成される。各制御基板は不正な改造行為を防止するため、透明な基板ケースに収容された状態で取り付けられている。
【００２４】
このように構成されるパチンコ機ＰＭにあって、主制御基板３３や払出制御基板３２等の各種制御基板は、いわゆる大当たりの発生確率を増大させた偽造ＲＯＭへの差し替えや、擬似的に払出指令信号を出力させるような不正回路の付加など、不正利得を目的とした基板の改造行為の対象になりやすい。そこで、このような制御基板を収容する基板ケースは、ケース内部に制御基板を収容保持した閉止状態にロック可能に構成されるとともに、ロック後は基板ケースの一部を破壊しなければ基板ケースを開放できない構成とされ、ケース開放時にその痕跡（履歴）が残るような構造の不正開放防止機構が設けられている。
【００２５】
本発明に係る基板ケースの不正開放防止機構１００について、その要部構成を示す図を図１〜図５の各図に示す。ここで、図１は本発明の一実施例の不正開放防止機構の構造を示した分解斜視図、図２はケースを組み付けて閉止した状態における図１に示した同機構の斜視図、図３は図２の不正開放防止機構の断面図に加えさらにロック部材によりロックされた状態を加えた断面図、図４は図２に示した組みつけた不正開放防止機構からカバー部材を外して右下から見た外観斜視図である。図５は図１のカバー部材を右下から見た外観斜視図である。図６Ａはロック部の右上から見た外観斜視図、図６Ｂはロック部の左下から見た外観斜視図、図７は図６Ａにおける矢視方向の断面図である。
なお、基板ケースの大きさや形状、取り付け姿勢（前後・上下・左右の各方向）等は、ケース内に収容される制御基板の形状寸法、基板ケースが取り付けられる遊技機の取り付け位置、制御基板の配設姿勢等に応じて任意に設定可能である。そのため、本明細書においては、説明の便宜上、図１に示す矢印Ｆ，Ｒ，Ｕの向かう方向を、それぞれ前方（Ｆｒｏｎｔ），右方（Ｒｉｇｈｔ），上方（Ｕｐ）と称して説明する。
【００２６】
図１には、本発明の一実施例の不正開放防止機構の構造を示した分解斜視図が示されている。
不正開放防止機構１００は、透明な樹脂材料を用いて形成されたケース本体部材５０と、このケース本体部材５０の上下左右方向に開閉又は前後方向にスライド可能に取り付けられる同様に透明な樹脂材料を用いて形成されたケース蓋部材６０とを備えた基板ケースＢＣの内部に、例えば前述した主制御基板や、払出制御基板などの制御基板（図示せず）が収容される。基板ケースＢＣは、ケース本体部材５０にケース蓋部材６０を装着して閉止し、前後係合する両部材は、ボルト止めで固定連結される。連結した後、そのボルト全体を覆うように、シール部材８０によりシールされる。
【００２７】
ケース本体部材５０は、上面が開口しており、制御基板（図示せず）を保持して収容する基板収納部５２を上面に有し、その左前側にケース本体部材とケース蓋部材を閉止して固定連結するための連結部５４を有し、さらに、その右側に、ロック部材１１０が貫通するとともにロックピン１１５が係合する本体側係合部５５とを有して構成され、上面側がケース蓋部材６０と組み合わさり、閉止空間を構成する。
ケース本体部材５０は、例えばポリカーボネートやＡＢＳ樹脂などの透明または半透明の樹脂材料を用いて図示形状に一体成型される。
【００２８】
制御基板は、矩形平面の基板の一面にＣＰＵやＲＯＭ等の電子部品が実装され、その反対側の面が銅箔にはんだ付けされたリフロー面となり、このリフロー面がケース本体部材の底面に対抗している。制御基板は、ケース本体部材に小ねじ等で固定されている。
【００２９】
ケース蓋部材６０は、ケース本体部材５０に対向する下面側が開口しており、制御基板を押さえて収容する基板収容部６２を下面に有し、その左前側にケース本体部材とケース蓋部材を閉止して固定連結するための連結部６４を有し、さらに、その右側に、ロック部材が上面側から貫通しケース蓋部材の開口と対向してロックピンが係合する蓋側係合部６５とを有して構成される。ケース蓋部材６０の下面側がケース本体部材５０と組み合わさり（重なり合い）、基板収容部６２として閉止空間を構成する。ケース蓋部材６０は、ケース本体部材５０と同様の透明または半透明の樹脂材料を用いて図示形状に一体成型される。
【００３０】
カバー部材７０は、ケース本体部材５０とケース蓋部材６０が組み合わさって（重なり合って）基板ケースＢＣを構成して基板ケース内部に制御基板３０を収容する閉止空間できた後に、基板ケースＢＣの前方から基板ケースＢＣに組み合わさって（重なり合って）、カバー被覆部７１がシール部材８０を上面から被覆し、外側からシール部材８０に不正アクセスできないようにすきまが生じないよう装着される。カバー部材７０は、その右側端部に、ロック部材１１０が上面側から貫通しケース本体部材５０の開口およびケース蓋部材６０の開口と対向してロックピン１１５が係合するカバー側係合部７５とを有して構成され、カバー側係合部７５は本体側係合部５５と蓋側係合部６５の間に組み合わさるように構成されている。その際、図１、図３および図５に示すように、カバー部材７０の前面側は、ケース本体部材とケース蓋部材の前面側の接合箇所を覆い、さらに、ケース本体部材の前面側下端近くまで覆うようになっている。
【００３１】
図３は、図２の不正開放防止機構の断面図に加えさらにロック部材によりロックされた状態を加えたものを示す。ケース本体部材５０とケース蓋部材６０とを組み合わせたものの内部に基板３０を収容し、シール部材８０で連結部５４からケース本体部材５０とケース蓋部材６０とを覆うように跨って貼付されている。したがって、基板ケースＢＣが開放されると破れて不正アクセスがあった事実がわかるようにされている。さらに、基板ケースＢＣにはカバー部材７０を組み合わせるのであるが、組み合わせ（重なり合わせ）ただけでは、ケース本体部材５０とケース蓋部材６０およびカバー部材７０は容易に取り外しでき、基板ケースＢＣは容易に開放可能である。したがって、不正開放防止をするためには、互いに対向する開口部５３，６３，７３を有する各係合部５５，６５，７５を、図３に示すようにロック部材本体１１０を貫通して嵌め合わせ、ロックピン１１５で係合させる。こうして、これらの部材５０，６０，７０をいわば「かしめて」結合する。このようにすると、各係合部５５，６５，７５を破壊して「かしめ」構造を壊さない限り、シール部材８０に触れることも困難になるし、基板ケースＢＣを開放することも困難になる。したがって、仮に不正に開放された場合には、その痕跡が残る。
なお、シール部材８０は、基板ケースＢＣの開放があったことの痕跡を残すために、粘着力に比べて破れやすい素材で作成される。たとえば、紙または樹脂フィルムシートなどが該当する。また、痕跡を残すためであるので、いったん剥離すると再貼着できない粘着剤などを使用するものであってもよい。
また、シール部材８０は、ＩＣタグが取り付けられているものでもよい。シール部材８０が剥がされて新しいシールが貼付されている場合であっても、ＩＣタグの有無または新しいＩＣタグから読みだされた情報等をチェックすることにより、容易にシール部材が剥がされたことが検出できるからである。
【００３２】
基板（図示せず）を収容して組みたてられた基板ケースＢＣは、取り付けブラケット（図示しない）等を介して、裏セット盤２０に取り付けられる。収容される基板は、主として、主制御基板３３であるが、ほかの払い出し制御基板３３、画像制御基板３５、ターミナル基板３７であってもよく、公正な遊技のために不正アクセスを防止する必要がある制御基板であればどのようなものでもよい。
【００３３】
図２および図３に示されるように、基板ケースＢＣがロック部材１１０によりロックされると、貼着されたシール部材８０は、カバー部材７０とケース蓋部材６０の間でつくられる閉空間で密封されるため、外部からシール部材８０に対して不正なアクセスをすることが極めて困難になる。
【００３４】
以下、ロック部材１１０を用いたロック構造をさらに説明する。
図６Ａにロック部材１１０の右上から見た外観斜視図を示し、図６Ｂにロック部材１１０の右下から見た外観図斜視図を示す。また、図７に前後に延びるロック部材の中心線１１０Ｘ及び上下に延びるロックピンの中心線１１５Ｘを含む面での断面図（図６におけるVII−VII矢視の断面図）を示す。
【００３５】
ロック部材１１０は、前後に延びるほぼ円筒形の軸部１１２及び軸部の前端に形成された操作部１１３を有するロック本体１１１と、軸部１１２の後端側にロック部材の中心軸１１０Ｘと直行方向にスライド変位自在に支持されたロックピン１１５と、ロックピン１１５を軸部外方に付勢するコイルスプリング１１６を主体として構成される。
【００３６】
ロック本体１１１は、前後に延びる円柱状の軸部１１２と、この軸部１１２の前端に軸部よりも大径の薄肉円盤状に形成された操作部１１３とを有する。ロック本体１１１は、例えばアルミ合金や銅合金などの金属材料を用いて一体に形成される。軸部１１２の後端側にはロックピン１１５をこのピンの軸線１１５Ｘに沿った軸方向（ロック本体１１１の中心線１１０Ｘに直行する方向）にスライド変位自在に収容支持する円筒状のピン収容部１１４が設けられている。なお、ロックピン１１５については、図７のロック本体１１１の断面のロックピンの中心軸のコイルスプリング１１６により付勢される方向を先端側、逆方向を基端側と称して説明する。
【００３７】
ロックピン１１５は、図７に示すように、細長い軸状の軸ピン１１５ａと、この軸ピン１１５ａの中間部に軸ピンよりも大径に形成された短円柱状の座部１１５ｂからなり、ステンレスや真鋳等の金属材料を用いて一体に形成される。ロックピン１１５を収容するピン収容部１１４は、ロックピンの座部１１５ｂよりも幾分大きな内径で軸部１１２に軸直行方向に穿設された有底円筒状の座部収容穴１１４ｂと、軸ピン１１５ａよりもわずかに大きめの内径で座部収容穴１１４ｂの底部を貫通して同軸上に形成されたピン支持孔１１４ａと、座部収容穴１１４ｂの入り口側に薄肉の円環状に形成されたカシメ部１１４ｃから構成される。
【００３８】
ロックピン１１５は、座部収容穴１１４ｂにコイルスプリング１１６を収納し、ロックピン１１５における軸ピン１１５ａの基端側をピン支持孔１１４ａに挿通し、座部１１５ｂを座部収容穴１１４ｂに挿入して、コイルスプリング１１６を軸方向に圧縮した状態でカシメ部１１４ｃをかしめて縮径させることにより、ピン収容部１１４に装着される。こうしてロックピン１１５が装着されると、ロックピン１１５はこのピンの軸方向に所定範囲で摺動自在に支持され、常にはコイルスプリング１１６のばね力により軸ピン１１５ａの先端側が軸部１１２の外方に突出するように付勢配設される。ロックピン１１５の長さは、ロック本体の軸部１１２の外径よりも長く、ロックピン１１５を摺動範囲の中間に位置させた状態（中間位置）において、ロックピン１１５の先端側が、軸部１１２から突出した状態で配設されるようになっている。なお、コイルスプリング１１６に代えて板ばねや皿ばねなどの付勢手段を用いてもよい。
【００３９】
このようなロック部材１１０がケース本体部材５０、ケース蓋部材６０、カバー部材７０を一体的に結合させて連結されるために、各開口部５３，６３，７３に挿通される際は、ロックピン１１５は蓋側係合部６５に設けられた軸方向にテーパ状の案内部（図示せず）を通る際、ロックピン１１５は案内部と当接して、ばねの付勢に抗して後退する。また、ロック部材１１０が、各開口部５３，６３，７３と嵌り合って完全に収容された後には、ロックピンが突出して本体側係合部５５に設けられた溝部（図示しない）に係合し、ロックピン１１５はロック部材１１０の抜け止めとなって軸部１１２が各開口部５３，６３，７３に嵌りこみ、ケース蓋部材６０とカバー部材７０とケース本体部材５０は一体的に結合される。
【００４０】
次に、本発明の他の好ましい実施形態について図面を参照して説明する。
本発明に係る基板ケースの不正開放防止機構２００について、その要部構成を図８から図１１の各図に示す。ここで、図８は、本発明の他の実施例の不正開放防止機構の構造を示した分解斜視図、図９はケース蓋部材の係合部を前面側から見た斜視図である。図１０はケース本体部材の係合部を前面側から見た斜視図である。図１１は図７に示した不正開放防止機構２００を組みつけた外観斜視図であって、ケース蓋部材３６０とケース本体部材３５０の係合部を拡大して示したものである。
なお、基板ケースの大きさや形状、取り付け姿勢（前後・上下・左右の各方向）等は、ケース内に収容される制御基板の形状寸法、基板ケースが取り付けられる遊技機の取り付け位置、制御基板３００の配設姿勢等に応じて任意に設定可能である。そのため、本明細書においては、説明の便宜上、図８に示す矢印Ｆ，Ｒ，Ｕの向かう方向を、それぞれ前方（Ｆｒｏｎｔ），右方（Ｒｉｇｈｔ），上方（Ｕｐ）と称して説明する。
【００４１】
図８には、本発明の他の実施例の不正開放防止機構２００の構造を示した分解斜視図が示されている。
不正開放防止機構２００は、透明な樹脂材料を用いて形成されたケース本体部材３５０と、このケース本体部材３５０の上下左右方向に開閉し、又は長手方向にスライド可能に取り付けられる同様に透明な樹脂材料を用いて形成されたケース蓋部材３６０とを備えた基板ケースＢＣの内部に、例えば前述した主制御基板や、払出制御基板などの制御基板３００が収容される。基板ケースＢＣは、ケース本体部材３５０にケース蓋部材３６０を装着して閉止し、前後係合する両部材はボルト止めで固定連結される。
【００４２】
ケース本体部材３５０は、上面が開口しており、制御基板３００を保持して収容する基板収納部３５２を上面に有し、その右側端部に、ロック部材２１０が貫通するとともにロックピンが係合する本体側係合部３５５とを有して構成され、上面側がケース蓋部材３６０と組み合わさり（重なり合い）、閉止空間を構成する。
ケース本体部材３５０は、例えばポリカーボネートやＡＢＳ樹脂などの透明または半透明の樹脂材料を用いて図示形状に一体成型される。
【００４３】
制御基板３００は、矩形平面の基板の一面にＣＰＵやＲＯＭ等の電子部品が実装され、その反対側の面が銅箔にはんだ付けされたリフロー面となり、このリフロー面がケース本体部材の底面に対向している。制御基板３００は、ケース本体部材に小ねじ等で固定されている。
【００４４】
ケース蓋部材３６０は、ケース本体部材３５０に対向する下面側が開口しており、制御基板３００を押さえて収容する基板収容部３６２を下面に有し、右側端部に、ロック部材２１０が上面側から貫通しケース本体部材３５０の本体側係合部３３５の開口と対向してロックピン２１５が係合する蓋側係合部３６５とを有して構成される。ケース蓋部材３６０の下面側がケース本体部材３５０と組み合わさり、基板収容部３６２として閉止空間を構成する。ケース蓋部材３６０は、ケース本体部材３５０と同様の透明または半透明の樹脂材料を用いて図示形状に一体成型される。
【００４５】
図９は、図８のケース蓋部材３６０の蓋側係合部３６５を前面側から見た斜視図である。図９に示されるように、ケース蓋部材３６０の右端部には、蓋側係合部３６５が２つ並んで設けられている。
【００４６】
図１０は、図８のケース本体部材３５０の本体側係合部３５５を前面側から見た斜視図である。図１０に示されるように、ケース本体部材３６０の右端部には、ケース蓋部材３６０の蓋側係合部３６５と対向する位置に、ケース本体側係合部３５５が２つ並んで設けられている。
【００４７】
蓋側係合部３６５とこれと対向する本体側係合部３５５は、ロック部材２１０が挿通されて嵌め合い、両者を一体的に結合させる。このロック部材２１０は、たとえば、図６Ａ、図６Ｂおよび図７で示されるように、前後に延びるほぼ円筒形の軸部２１２及び軸部の前端に形成された操作部２１３を有するロック本体２１１と、軸部２１２の後端側にロック部材の中心軸２１０Ｘと直行方向にスライド変位自在に支持されたロックピン２１５と、ロックピン２１５を軸部外方に付勢するコイルスプリング２１６を主体として構成される。
なお、ロック部材２１０は、基本的には、ロック部材１１０と同様構造でよい。
【００４８】
そして、このようなロック部材２１０は、ロックされるために蓋側係合部３６５および本体側係合部３５５に挿通される際は、ロックピン２１５は蓋側係合部３６５の案内部３６６を通る際、案内部３６６と当接して、コイルスプリング２１６の付勢に抗して後退する。また、ロック部材２１０が、各開口部３５３，３６３と嵌り合って完全に収容された後には、ロックピン２１５が突出して本体側係合部３５５に設けられた溝部に係合し（図示しない）、ロックピン２１５は抜け止めとなって軸部２１２に嵌りこみ、ケース蓋部材３６０とケース本体部材３５０は一体的に結合されて連結される。
【００４９】
このとき、本体側係合部３５５に設けられた溝部は、ロックピン２１５が突出状態であってもロック部材２１０が回転可能なように突出したロックピンを案内するように設けられている。このように構成することにより、ケース本体部材３５０とケース蓋部材３６０がロックされて一体的に結合されて連結された状態であっても、ロック部材２１０は、軸部２１２と各開口部３５３、３６３との嵌め合いを調整すること等により、回転させるように構成することができる。
【００５０】
ケース本体部材３５０の本体側係合部３５５は、ロック部材２１０が嵌る開口部３５３の周囲に立壁部３５７を設けた。立壁部３５７はケース蓋部材３６０の蓋側係合部３６５とケース本体部材３５０の本体側係合部３５５の間ではケース蓋部材３６０とケース本体部材３５０が係合することにより不正アクセスから基板をすでにガードしているのであるが、さらに、その付き合わせ部の外側に壁を立設することにより、さらに、ロック部材２１０に対する不正アクセスを厳重に防止するものである。このような立壁部３５７のある場合に、不正アクセスにより強引に開放させると、どうしても立壁部３５７と接触せざるを得ない。したがって、少々の力であれば、立壁部３５７により不正なアクセスを撃退することができ、もし、さらに強引にアクセスして強い力を働かそうとすると、立壁部を破壊したり傷をつけたりすることとなる。そうすると、不正アクセスがあったこともしくは強引に不正開放したことが、一目瞭然に容易に確認することができる。
【００５１】
また、ケース蓋部材３６０の蓋側係合部３６５は、ロック部材２１０が嵌る開口部３６３の周囲に上下に延びる係合壁部３６７を設けた。係合壁部３６７は、ケース蓋部材３６０の蓋側係合部３６５の上面のロック部材２１０の操作部あるいは軸部に不正アクセスをしようとした際に、立壁部３５７と同様、ロック部材２１０に不正アクセスがしづらくなるようにして、ロック部材２１０に対する不正アクセスを厳重に防止するものである。係合壁部３６７は、図１１等に示すように、ロック部材２１０の操作部２１３の周りに壁を立て操作部２１３の周囲を囲むものであり、その高さは操作部の操作が可能であって不正アクセスがしづらくなるようにおおむね操作部と同じかそれよりも高くするとよい。このような係合壁部３６７のある場合に、不正アクセスにより強引に開放させると、どうしても係合壁部３６７と接触せざるを得ない。したがって、少々の力であれば、係合壁部３６７により強引なアクセスを撃退することができ、もし、さらに強引にアクセスして強い力を働かそうとすると、係合壁部３６７を破壊したり傷をつけたりすることとなる。そうすると、不正アクセスがあったこともしくは強引に不正開放したことが、一目瞭然に容易に確認することができる。
【００５２】
さらに、このロック部材２１０は、ケース本体部材３５０とケース蓋部材３６０がロックされて一体連結された状態であっても、嵌り合う軸部２１２はほぼ円筒形であるため回転させるように構成することができる。したがって、ロック部材２１０を破壊して不正アクセスがされた場合に、接着剤等で一見破壊されていないかのように復元されたとしても、ロック部材２１０が回転ができるかどうかを確認すれば、不正アクセスがあったこともしくは強引に不正開放したことを、容易に確認することができる。
【００５３】
なお、この実施形態では、ロック部材２１０は、ケース蓋部材３６０の側から挿通される構成としたが、ケース本体部材３５０の側から挿通されるようにしても差し支えない。この場合は、ケース本体部材３５０に係合壁部３６７を設け、ケース蓋部材３６０に立壁部３５７を設けることになる。また、ロック部材２１０によりロックする際は、ロックピン２１５が突出して係合する溝は、ケース蓋部材３６０に設ければよい。
【００５４】
また、図９から図１１に示すように、ロック部材２１０の収容のための本体側係合部３５５のとなりに予備ロック部材３５９を置いておく予備ロック部材収容部３５８を設けてもよい。そうすると、本体側係合部３５５と蓋側係合部３６５が複数ある場合に、メンテナンス等でケースを開放した際に、もう一つの係合部３５５，３６５のペアにより、再度閉止することができる。その際に、予備ロック部材収容部３５８があれば、予備ロック部材３５９をなくしたり探したりすることなく、必要な時にいつでも使えることになるので望ましい。なお、その際は、ロックピン２１５は嵌り止めにならないような構造でロックピンを支持し、単にケース蓋部材で押さえておくことが望ましい。そうすれば、ケースを開放したときに予備ロックを自由に取り出せることができる。
【００５５】
本発明をパチンコ機の基板ケースに適用した事例について説明したが、スロットマシンやアーケードゲーム機などの他の遊技機の基板ケースに適用することができ、同様の効果を得ることができる。
【符号の説明】
【００５６】
ＰＭ  パチンコ機
３０  基板（制御基板）
３１  電源基板（制御基板）              ３２  発射制御基板（制御基板）
３３  主制御基板（制御基板）            ３５  画像制御基板（制御基板）
ＢＣ  基板ケース
５０  ケース本体部材
５２  基板収納部                        ５３  開口部
５４  連結部                            ５５  本体側係合部
６０  ケース蓋部材
６１  蓋本体
６２  基板収容部                        ６３  開口部
６４  連結部                            ６５  蓋側係合部
６６  案内部
７０  カバー部材              
７１  カバー被覆部                      ７３  開口部
７５  カバー側係合部
８０  シール部材
１００  不正開放防止機構
１１０  ロック部材
１１１  ロック本体
１１２  軸部                            １１３  操作部
１１５  ロックピン                      １１６  コイルスプリング（付勢手段）
３００  制御基板
３５０  ケース本体部材
３５２  基板収納部                      ３５３  開口部
３５４  連結部                          ３５５  本体側係合部
３５７  立壁部                          ３５８  予備ロック収容部
３５９  予備ロック部材
３６０  ケース蓋部材
３６１  ケース蓋部材
３６２  基板収容部                      ３６３  開口部
３６４  連結部                          ３６５  蓋側係合部
３６６  案内部                          ３６７  係合壁部
２００  不正開放防止機構
２１０  ロック部材
２１１  ロック本体
２１２  軸部                            ２１３  操作部
２１５  ロックピン                      ２１６  コイルスプリング（付勢手段）
【図１】
2010234025.tif 000003
【図２】
2010234025.tif 000004
【図３】
2010234025.tif 000005
【図４】
2010234025.tif 000006
【図５】
2010234025.tif 000007
【図６】
2010234025.tif 000008
【図７】
2010234025.tif 000009
【図８】
2010234025.tif 000010
【図９】
2010234025.tif 000011
【図１０】
2010234025.tif 000012
【図１１】
2010234025.tif 000013
【図１２】
2010234025.tif 000014
【図１３】
2010234025.tif 000015
【手続補正書】
【提出日】平成22年1月18日(2010.1.18)
【手続補正１】
【補正対象書類名】図面
【補正対象項目名】全図
【補正方法】変更
【補正の内容】
【図１】
2010234025.tif 000016
【図２】
2010234025.tif 000017
【図３】
2010234025.tif 000018
【図４】
2010234025.tif 000019
【図５】
2010234025.tif 000020
【図６】
2010234025.tif 000021
【図７】
2010234025.tif 000022
【図８】
2010234025.tif 000023
【図９】
2010234025.tif 000024
【図１０】
2010234025.tif 000025
【図１１】
2010234025.tif 000026
【図１２】
2010234025.tif 000027
【図１３】
2010234025.tif 000028